(57)【要約】【課題】操作パネルで設定されたシートの種類と、センサーによって検出されたシートの種類とが異なる場合に、ユーザーの意図を考慮した処理を実行可能な画像形成装置を提供する。【解決手段】画像形成装置は、給紙カセットにセットされたシートの種類を設定する操作パネルと、シートの種類を検出するセンサーと、印刷ジョブの実行を制御するコントローラーとを備える。コントローラーは、操作パネルによって設定されたシートの種類とセンサーによって検出されたシートの種類とが一致しない場合、予め定められた条件が満たされているときには、センサーによって検出された種類に応じた設定で前記印刷ジョブを継続する。コントローラーは、予め定められた条件が満たされないときには、操作パネルによって設定されたシートの種類とセンサーによって検出されたシートの種類とが一致しない場合の処理として、印刷ジョブを中断する。【選択図】図８
2020192716.tif 000002
【特許請求の範囲】
【請求項１】
給紙カセットと、
前記給紙カセットにセットされたシートの種類を設定する操作パネルと、
前記シートの種類を検出するセンサーと、
印刷ジョブの実行を制御するコントローラーとを備え、
前記コントローラーは、
前記操作パネルによって設定されたシートの種類と、前記センサーによって検出されたシートの種類とが一致するか否かを判定し、
前記シートの種類が一致しないと判定された場合、予め定められた条件が満たされているか否かを判定し、
前記予め定められた条件が満たされているときには、前記センサーによって検出された種類に応じた設定で前記印刷ジョブを継続し、
前記予め定められた条件が満たされないときには、前記印刷ジョブを中断する、画像形成装置。
【請求項２】
前記コントローラーは、前記予め定められた条件が満たされないときには、前記操作パネルに警告表示を行わせる、請求項１に記載の画像形成装置。
【請求項３】
前記操作パネルは、前記印刷ジョブの開始を指示する操作を受け付け、
前記予め定められた条件は、前記シートが前記給紙カセットにセットされ、かつ前記操作パネルで前記シートの種類が設定された後、予め定められた時間が経過するまでに、前記操作パネルが前記印刷ジョブの開始を指示する操作を受け付けたことである、請求項１または２に記載の画像形成装置。
【請求項４】
前記コントローラーは、前記給紙カセットがシート切れ状態となった後に前記給紙カセットに前記シートがセットされ、かつ前記印刷ジョブが再開された場合には、前記予め定められた条件が満たされないと判定する、請求項１または２に記載の画像形成装置。
【請求項５】
前記印刷ジョブが部単位で複数の部数を印刷するジョブである場合には、前記予め定められた条件は、前記給紙カセットにおいて前記シートが空となった状態から前記給紙カセットに前記シートが補給され、かつ前記印刷ジョブが前記部の先頭から再開されることである、請求項１または２に記載の画像形成装置。
【請求項６】
前記コントローラーは、ユーザー認証を行い、
前記予め定められた条件は、前記ユーザー認証により、前記操作パネルによってシートの種類を設定したユーザーと、前記印刷ジョブの開始を指示したユーザーとが、同一であると判定されたことである、請求項１または２に記載の画像形成装置。
【請求項７】
前記予め定められた条件は、前記センサーによって検出されたシートの種類と、前記印刷ジョブにおける設定との組み合わせが禁止されていないことである、請求項１または２に記載の画像形成装置。
【請求項８】
前記予め定められた条件は、前記センサーによって検出されたシートの種類が普通紙であることである、請求項１または２に記載の画像形成装置。
【請求項９】
坪量に範囲に基づき前記シートの種類が規定されたデーターを記憶したメモリをさらに備え、
前記予め定められた条件は、前記操作パネルによって設定されたシートの種類の前記坪量の範囲と、前記センサーによって検出されたシートの種類の前記坪量の範囲とが連続していることである、請求項１または２に記載の画像形成装置。
【請求項１０】
前記コントローラーは、前記操作パネルによる前記シートの種類の設定と、前記センサーによる前記シートの種類の検出結果とうちの一方を他方よりも優先する設定を受け付け、
前記予め定められた条件は、前記センサーによる前記シートの種類の検出結果を、前記操作パネルによる前記シートの種類の設定よりも優先する設定がなされていることである、請求項１または２に記載の画像形成装置。
【請求項１１】
前記画像形成装置は、設定モードとして、課金を条件に前記印刷ジョブを実行する第１のモードと、課金を条件とすることなく前記印刷ジョブを実行する第２のモードとを有し、
前記予め定められた条件は、前記設定モードが前記第２のモードであることである、請求項１または２に記載の画像形成装置。
【請求項１２】
給紙カセットと、
前記給紙カセットにセットされたシートの種類を設定する操作パネルと、
前記シートの種類を検出するセンサーと、
外部の情報処理装置のプリンタドライバーによる印刷ジョブを実行するコントローラーとを備え、
前記コントローラーは、
前記プリンタドライバーによって設定されたシートの種類と、前記操作パネルによって設定されたシートの種類と、前記センサーによって検出されたシートの種類との全てが一致するか否かを判定し、
前記全てのシートの種類が一致すると判定されなかった場合、予め定められた条件が満たされているか否かを判定し、
前記予め定められた条件が満たされているときには、前記センサーによって検出された種類に応じた設定で前記印刷ジョブを継続し、
前記予め定められた条件が満たされないときには、前記印刷ジョブを中断する、画像形成装置。
【請求項１３】
前記コントローラーは、前記予め定められた条件が満たされないときには、前記操作パネルに警告表示を行わせる、請求項１２に記載の画像形成装置。
【請求項１４】
前記予め定められた条件は、前記全ての種類のうちの２つの種類のみが一致しており、残りの１つの種類が前記２つの種類に一致していないことである、請求項１２または１３に記載の画像形成装置。
【請求項１５】
前記コントローラーは、前記プリンタドライバーによって設定されたシートの種類と、前記操作パネルによって設定されたシートの種類と、前記センサーによって検出されたシートの種類とが互いに異なる場合には、前記予め定められた条件が満たされないと判定する、請求項１２または１３に記載の画像形成装置。
【請求項１６】
前記コントローラーは、ユーザー認証を行い、
前記予め定められた条件は、前記ユーザー認証により、前記プリンタドライバーによってシートの種類を設定したユーザーと前記操作パネルによってシートの種類を設定したユーザーとが同一と判定され、かつ、前記プリンタドライバーによって設定されたシートの種類と前記センサーによって検出されたシートの種類とが異なっていることである、請求項１２または１３に記載の画像形成装置。
【請求項１７】
画像形成装置と情報処理装置とを備えた画像形成システムであって、
前記情報処理装置は、前記画像形成装置用のプリンタドライバーを有し、
前記画像形成装置は、
給紙カセットと、
前記給紙カセットにセットされたシートの種類を設定する操作パネルと、
前記シートの種類を検出するセンサーと、
前記プリンタドライバーによる印刷ジョブを実行するコントローラーとを有し、
前記コントローラーは、
前記プリンタドライバーによって設定されたシートの種類と、前記操作パネルによって設定されたシートの種類と、前記センサーによって検出されたシートの種類との全てが一致するか否かを判定し、
前記全てのシートの種類が一致すると判定されなかった場合、予め定められた条件が満たされているか否かを判定し、
前記予め定められた条件が満たされているときには、前記センサーによって検出された種類に応じた設定で前記印刷ジョブを継続し、
前記予め定められた条件が満たされないときには、前記印刷ジョブを中断する、画像形成システム。
【請求項１８】
操作パネルと、
コントローラーとを備え、
前記コントローラーは、シートの種類を自動検出する機能がオンの状態であっても、前記操作パネルを介して、シートの種類の設定入力を受け付ける、画像形成装置。
【請求項１９】
前記シートを収容する給紙カセットと、
前記シートの種類を自動検出するセンサーとをさらに備え、
前記操作パネルは、前記給紙カセットにセットされたシートの種類の設定を受け付け、
前記コントローラーは、前記操作パネルを介して、前記機能をオンする入力と、前記機能をオフする入力とを受け付ける、請求項１８に記載の画像形成装置。
【請求項２０】
操作パネルによって設定されたシートの種類と、センサーによって検出されたシートの種類とが一致するか否かを判定するステップと、
前記シートの種類が一致しないと判定された場合、予め定められた条件が満たされているか否かを判定するステップと、
前記予め定められた条件が満たされているときに、前記センサーによって検出された種類に応じた設定で印刷ジョブを継続するステップと、
前記予め定められた条件が満たされないときに、前記印刷ジョブを中断するステップとを備える、画像形成装置の制御方法。
【請求項２１】
画像形成装置に通信可能に接続された情報処理装置のプリンタドライバーによって設定されたシートの種類と、操作パネルによって設定されたシートの種類と、センサーによって検出されたシートの種類との全てが一致するか否かを判定するステップと、
前記全てのシートの種類が一致すると判定されなかった場合、予め定められた条件が満たされているか否かを判定するステップと、
前記予め定められた条件が満たされているときに、前記センサーによって検出された種類に応じた設定で印刷ジョブを継続するステップと、
前記予め定められた条件が満たされないときに、前記印刷ジョブを中断するステップとを備える、画像形成装置の制御方法。
【発明の詳細な説明】
【技術分野】
【０００１】
本発明は、画像形成装置、画像形成システム、および画像形成装置の制御方法に関する。
【背景技術】
【０００２】
従来、プリンター、複写機、ファクシミリ、およびこれらの複合機（ＭＦＰ：Ｍｕｌｔｉｆｕｎｃｔｉｏｎ  Ｐｅｒｉｐｈｅｒａｌ）などの画像形成装置が知られている。
【０００３】
このような画像形成装置においては、ユーザーは、給紙カセットにセットされたシートの種類（種別）を操作パネルまたはプリンタドライバー（以下、「操作パネル等」と称する）を介して設定することができる。また、シートの搬送経路の途中に設けられたメディアセンサーによって、当該シートの種類を自動的に検出する画像形成装置も知られている。
【０００４】
このようなメディアセンサーを有する画像形成装置では、操作パネル等を介して設定されたシートの種類と、メディアセンサーによって検出されたシートの種類とが異なる場合が生じ得る。
【０００５】
このような状況を考慮し、たとえば特許文献１のデーター処理装置は、メディアセンサーによって検出された用紙（シートの一種）の種類とプリンタドライバーで設定された用紙の種類との不適合が発生しているか否かを、印刷データーに対する処理中の異なるタイミングで複数回検知した情報から判定する。さらに、当該データー処理装置は、不適合と判定した場合、警告表示を行うととともに、印刷データーの生成および生成された印刷データーの出力を制限する。これにより、印刷不良となる印刷が実行されることを防止している。
【先行技術文献】
【特許文献】
【０００６】
【特許文献１】特開２００５−６２９１６号公報
【発明の概要】
【発明が解決しようとする課題】
【０００７】
ユーザーは、給紙カセットにシートをセットした際、セットしたシートの種類を操作パネルで設定する。しかしながら、シート（典型的には、用紙）の種類に疎くいため、どのような種類のシートをセットしたかが分からないあるいは自信がないユーザーもいる。このようなユーザーは、典型的には、シートの種類を操作パネルで暫定的（適当）に設定した上で、シートの種類を自動的に検出する機能（以下、「紙種自動検出機能」とも称する）を有効にすることになる。
【０００８】
このような場合に、上述したように、操作パネル等を介して設定されたシートの種類と、メディアセンサーによって検出されたシートの種類とが異なる場合が生じ得る。この場合における典型的な対処方法として、たとえば以下の２つが挙げられる。
【０００９】
（第１の対処方法）
画像形成装置は、操作パネル上で設定したシートの種類とメディアセンサーによって検出されたシートの種類とが異なっていることを、操作パネルにて警告表示する。さらに、画像形成装置は、操作パネルのシートの種類の設定を変更すること、あるいは、別のシートを給紙カセットにセットすることをユーザーに促す。さらに、画像形成装置は、給紙したシートを白紙で通常排出するトレイとは別のトレイに排出する。
【００１０】
（第２の対処方法）
画像形成装置は、操作パネル上のシートの種類の設定を、メディアセンサーにて検出されたシートの種類に変更する。また、画像形成装置は、印刷プロファイルもメディアセンサーによって検出されたシートの種類のものに変更し、かつジョブを継続する。
【００１１】
しかしながら、画像形成装置が上記のいずれかの処理を一律に実施してしまうと、ユーザーの利便性を損なってしまう。以下、このようなケースを、３つの具体例を示して説明する。
【００１２】
（第１の具体例）
ユーザーがシートを給紙カセットにセットした直後に、ユーザーがコピージョブを開始した場合を想定する。この場合、１枚目のシートを給紙した時点で操作パネル上に設定されたシートの種類とメディアセンサーによって検出されたシートの種類とが異なった場合には、メディアセンサーによって検出されたシートの種類が“ステープル”などの設定を満たすのであれば、メディアセンサーによって検出されたシートの種類を適用してジョブを継続して印刷することが望ましい。この理由は、給紙カセットにシートをセットしたユーザーがコピージョブを指示したと想定されるからである。このような処理は、ユーザーが用意し、かつセットしたシートを使用したいという意思を尊重した対応となる。
【００１３】
（第２の具体例）
次に、ユーザーがシートを給紙カセットにセットした後、暫く経ってからユーザーがコピージョブを実行した場合を想定する。この場合、操作パネル上に設定されたシートの種類とメディアセンサーによって検出されたシートの種類とが異なった場合には、種類が異なる旨の警告表示を行い、かつ給紙したシートを白紙排出することが望ましい。この理由は、給紙カセットをセットしたユーザーとコピージョブを指示したユーザーとが必ずしも同一人物とは限らないからである。操作パネル上に表示されているシートの種類を信じてコピージョブを開始したユーザーにとって、異なる種類のシートで印刷を実施してミスコピーとなってしまうのを防ぐためにも、一度ユーザーにシートを確認してもらった方が望ましい。
【００１４】
（第３の具体例）
さらに、ペーパーエンプティが発生した後に、ユーザーがシートを給紙カセットに補給して印刷処理が再開された場合を想定する。この場合、操作パネル上に設定されたシートの種類とメディアセンサーによって検出されたシートの種類とが異なった場合、種類が異なる旨の警告表示を行い、かつ、給紙したシートを白紙排出した方が望ましい。この理由は、ユーザーがセットしたシートを使用したいという意思を尊重してジョブを継続して印刷しまうと、異なる種類のシートが混在したミスコピーを誘発する可能性があるからである。特にシートの種類に疎いユーザーは、意識して同じシートを毎回補給するとは限らず、たまたま用意できたシートをセットすることも考えられるためである。
【００１５】
本開示は、上記の問題点に鑑みなされたものであって、その目的は、操作パネル等で設定されたシートの種類と、センサーによって検出されたシートの種類とが異なる場合に、ユーザーの意図を考慮した処理を実行可能な画像形成装置、画像形成システム、および画像形成装置の制御方法を提供することにある。
【課題を解決するための手段】
【００１６】
本開示のある局面に従うと、画像形成装置は、給紙カセットと、給紙カセットにセットされたシートの種類を設定する操作パネルと、シートの種類を検出するセンサーと、印刷ジョブの実行を制御するコントローラーとを備える。コントローラーは、操作パネルによって設定されたシートの種類と、センサーによって検出されたシートの種類とが一致するか否かを判定する。コントローラーは、シートの種類が一致しないと判定された場合、予め定められた条件が満たされているか否かを判定する。コントローラーは、予め定められた条件が満たされているときには、センサーによって検出された種類に応じた設定で印刷ジョブを継続する。コントローラーは、予め定められた条件が満たされないときには、印刷ジョブを中断する。
【００１７】
好ましくは、コントローラーは、予め定められた条件が満たされないときには、操作パネルに警告表示を行わせる。
【００１８】
好ましくは、操作パネルは、印刷ジョブの開始を指示する操作を受け付ける。予め定められた条件は、シートが給紙カセットにセットされ、かつ操作パネルでシートの種類が設定された後、予め定められた時間が経過するまでに、操作パネルが印刷ジョブの開始を指示する操作を受け付けたことである。
【００１９】
好ましくは、コントローラーは、給紙カセットがシート切れ状態となった後に給紙カセットにシートがセットされ、かつ印刷ジョブが再開された場合には、予め定められた条件が満たされないと判定する。
【００２０】
好ましくは、印刷ジョブが部単位で複数の部数を印刷するジョブである場合には、予め定められた条件は、給紙カセットにおいてシートが空となった状態から給紙カセットにシートが補給され、かつ印刷ジョブが部の先頭から再開されることである。
【００２１】
好ましくは、コントローラーは、ユーザー認証を行う。予め定められた条件は、ユーザー認証により、操作パネルによってシートの種類を設定したユーザーと、印刷ジョブの開始を指示したユーザーとが、同一であると判定されたことである。
【００２２】
好ましくは、予め定められた条件は、センサーによって検出されたシートの種類と、印刷ジョブにおける設定との組み合わせが禁止されていないことである。
【００２３】
好ましくは、予め定められた条件は、センサーによって検出されたシートの種類が普通紙であることである。
【００２４】
好ましくは、画像形成装置は、坪量に範囲に基づきシートの種類が規定されたデーターを記憶したメモリをさらに備える。予め定められた条件は、操作パネルによって設定されたシートの種類の坪量の範囲と、センサーによって検出されたシートの種類の坪量の範囲とが連続していることである。
【００２５】
好ましくは、コントローラーは、操作パネルによるシートの種類の設定と、センサーによるシートの種類の検出結果とうちの一方を他方よりも優先する設定を受け付ける。予め定められた条件は、センサーによるシートの種類の検出結果を、操作パネルによるシートの種類の設定よりも優先する設定がなされていることである。
【００２６】
好ましくは、画像形成装置は、設定モードとして、課金を条件に印刷ジョブを実行する第１のモードと、課金を条件とすることなく印刷ジョブを実行する第２のモードとを有する。予め定められた条件は、設定モードが第２のモードであることである。
【００２７】
本開示の他の局面に従うと、画像形成装置は、給紙カセットと、給紙カセットにセットされたシートの種類を設定する操作パネルと、シートの種類を検出するセンサーと、外部の情報処理装置のプリンタドライバーによる印刷ジョブを実行するコントローラーとを備える。コントローラーは、プリンタドライバーによって設定されたシートの種類と、操作パネルによって設定されたシートの種類と、センサーによって検出されたシートの種類との全てが一致するか否かを判定する。コントローラーは、全てのシートの種類が一致すると判定されなかった場合、予め定められた条件が満たされているか否かを判定する。コントローラーは、予め定められた条件が満たされているときには、センサーによって検出された種類に応じた設定で印刷ジョブを継続する。コントローラーは、予め定められた条件が満たされないときには、印刷ジョブを中断する。
【００２８】
好ましくは、コントローラーは、予め定められた条件が満たされないときには、操作パネルに警告表示を行わせる。
【００２９】
好ましくは、予め定められた条件は、全ての種類のうちの２つの種類のみが一致しており、残りの１つの種類が２つの種類に一致していないことである。
【００３０】
好ましくは、コントローラーは、プリンタドライバーによって設定されたシートの種類と、操作パネルによって設定されたシートの種類と、センサーによって検出されたシートの種類とが互いに異なる場合には、予め定められた条件が満たされないと判定する。
【００３１】
好ましくは、コントローラーは、ユーザー認証を行う。予め定められた条件は、ユーザー認証により、プリンタドライバーによってシートの種類を設定したユーザーと操作パネルによってシートの種類を設定したユーザーとが同一と判定され、かつ、プリンタドライバーによって設定されたシートの種類とセンサーによって検出されたシートの種類とが異なっていることである。
【００３２】
本開示のさらに他の局面に従うと、画像形成システムは、画像形成装置と情報処理装置とを備える。情報処理装置は、画像形成装置用のプリンタドライバーを有する。画像形成装置は、給紙カセットと、給紙カセットにセットされたシートの種類を設定する操作パネルと、シートの種類を検出するセンサーと、プリンタドライバーによる印刷ジョブを実行するコントローラーとを有する。コントローラーは、プリンタドライバーによって設定されたシートの種類と、操作パネルによって設定されたシートの種類と、センサーによって検出されたシートの種類との全てが一致するか否かを判定する。コントローラーは、全てのシートの種類が一致すると判定されなかった場合、予め定められた条件が満たされているか否かを判定する。コントローラーは、予め定められた条件が満たされているときには、センサーによって検出された種類に応じた設定で印刷ジョブを継続する。コントローラーは、予め定められた条件が満たされないときには、印刷ジョブを中断する。
【００３３】
本開示のさらに他の局面に従うと、画像形成装置は、操作パネルと、コントローラーとを備える。コントローラーは、シートの種類を自動検出する機能がオンの状態であっても、操作パネルを介して、シートの種類の設定入力を受け付ける。
【００３４】
好ましくは、画像形成装置は、シートを収容する給紙カセットと、シートの種類を自動検出するセンサーとをさらに備える。操作パネルは、前記給紙カセットにセットされたシートの種類の設定を受け付ける。コントローラーは、操作パネルを介して、機能をオンする入力と、機能をオフする入力とを受け付ける。
【００３５】
本開示のさらに他の局面に従うと、画像形成装置の制御方法は、操作パネルによって設定されたシートの種類と、センサーによって検出されたシートの種類とが一致するか否かを判定するステップと、シートの種類が一致しないと判定された場合、予め定められた条件が満たされているか否かを判定するステップと、予め定められた条件が満たされているときに、センサーによって検出された種類に応じた設定で印刷ジョブを継続するステップと、予め定められた条件が満たされないときに、印刷ジョブを中断するステップとを備える。
【００３６】
本開示のさらに他の局面に従うと、画像形成装置の制御方法は、画像形成装置に通信可能に接続された情報処理装置のプリンタドライバーによって設定されたシートの種類と、操作パネルによって設定されたシートの種類と、センサーによって検出されたシートの種類との全てが一致するか否かを判定するステップと、全てのシートの種類が一致すると判定されなかった場合、予め定められた条件が満たされているか否かを判定するステップと、予め定められた条件が満たされているときに、センサーによって検出された種類に応じた設定で印刷ジョブを継続するステップと、予め定められた条件が満たされないときに、印刷ジョブを中断するステップとを備える。
【発明の効果】
【００３７】
本開示によれば、操作パネル等で設定されたシートの種類と、センサーによって検出されたシートの種類とが異なる場合に、ユーザーの意図を考慮した処理を実行可能となる。
【図面の簡単な説明】
【００３８】
【図１】ネットワークシステムの全体構成を示す図である。
【図２】画像形成装置の内部構造を示す概略図である。
【図３】画像形成装置のハードウェア構成の一例を説明するためのブロック図である。
【図４】操作パネルの外観を表した図である。
【図５】タッチスクリーンに表示される画面例を示した図である。
【図６】コントローラーが記憶しているデーターを示した図である。
【図７】画像形成装置の機能的構成を説明するためのブロック図である。
【図８】第１の処理例を説明するためのフロー図である。
【図９】第２の処理例を説明するためのフロー図である。
【図１０】第３の処理例を説明するためのフロー図である。
【図１１】第４の処理例を説明するためのフロー図である。
【図１２】データーを説明するための図である。
【図１３】第５の処理例を説明するためのフロー図である。
【図１４】第６の処理例を説明するためのフロー図である。
【図１５】管理者設定の操作画面例を示した図である。
【図１６】第７の処理例を説明するためのフロー図である。
【図１７】第８の処理例を説明するためのフロー図である。
【図１８】ＰＣで表示されるプリンタドライバーの設定画面を示した図である。
【図１９】第９の処理例を説明するためのフロー図である。
【発明を実施するための形態】
【００３９】
実施の形態における画像形成装置について、以下、図を参照しながら説明する。以下に説明する実施の形態において、個数、量などに言及する場合、特に記載がある場合を除き、本開示の範囲は必ずしもその個数、量などに限定されない。同一の部品、相当部品に対しては、同一の参照番号を付し、重複する説明は繰り返さない場合がある。
【００４０】
図面においては、実際の寸法の比率に従って図示しておらず、構造の理解を容易にするために、構造が明確となるように比率を変更して図示している箇所がある。なお、以下で説明される各実施の形態および各変形例は、適宜選択的に組み合わされてもよい。
【００４１】
また、以下では、カラープリンタとしての画像形成装置について説明するが、画像形成装置は、カラープリンタに限定されない。たとえば、画像形成装置は、モノクロプリンタであってもよいし、ＦＡＸであってもよいし、モノクロプリンタ、カラープリンタおよびＦＡＸの複合機（ＭＦＰ：Multi-Functional  Peripheral）であってもよい。
【００４２】
また、以下では「印刷ジョブ」は、画像形成装置でコピーを行う場合の「コピージョブ」と、画像形成装置に通信可能に接続された端末装置（典型的には、パーソナルコンピュータ）からのプリント命令に基づく「プリントジョブ」とを含む概念とする。
【００４３】
＜Ａ．システム構成＞
図１は、ネットワークシステム１０００の全体構成を示す図である。
【００４４】
図１を参照して、ネットワークシステム１０００は、画像形成装置１と、ＰＣ（Ｐｅｒｓｏｎａｌ  Ｃｏｍｐｕｔｅｒ）３とを備えている。
【００４５】
画像形成装置１は、ネットワーク９０１を介して、ＰＣ３に通信可能に接続されている。画像形成装置１は、本体部１０と、後処理装置２０とを備える。本体部１０は、コントローラー（制御基盤）３１と、操作パネル３４と、給紙カセット１４とを備える。
【００４６】
ＰＣ３は、ユーザー端末である。ユーザーは、ＰＣ３を操作することにより、画像形成装置１に各種のジョブを実行させることができる。具体的には、ＰＣ３は、画像形成装置用のプリンタドライバーを有している。
【００４７】
なお、ＰＣ３および画像形成装置１とは、サーバー（図示せず）と通信可能に接続されていてもよい。
【００４８】
＜Ｂ．画像形成装置１の構成＞
（ｂ１．内部構造）
図２は、画像形成装置１の内部構造を示す概略図である。図２を参照して、画像形成装置１は、上述したように、本体部１０と、後処理装置２０とを備えている。
【００４９】
本体部１０は、画像形成ユニット１１と、スキャナーユニット１２と、自動原稿搬送ユニット１３と、２つの給紙カセット１４と、搬送路１５と、メディアセンサー１６と、反転搬送路１７と、操作パネル３４と、給紙ローラー１１３とを備えている。なお、自動原稿搬送ユニットは、ＡＤＦ（auto document feeder）とも称される。
【００５０】
本体部１０は、画像形成装置１の動作を制御するコントローラー３１をさらに備えている。なお、本例では、本体部１０は、いわゆるタンデム方式のカラープリンタである。本体部１０は、印刷設定に基づいて画像形成を実行する。
【００５１】
自動原稿搬送ユニット１３は、原稿台上に載置された原稿を、原稿読取部の読取位置に自動的に搬送する。スキャナーユニット１２は、自動原稿搬送ユニット１３により搬送された原稿の画像を読み取り、画像データーを生成する。また、スキャナーユニット１２は、自動原稿搬送ユニット１３を用いずにユーザーがプラテン上に置いた原稿の画像も読み取り、画像データーを生成する。スキャナーユニット１２による原稿の画像データーは、メモリ（典型的には、図４に示す固定記憶装置３２）に記憶される。
【００５２】
給紙カセット１４には、用紙Ｐ等のシートが収容される。給紙ローラー１１３は、図２の例の場合には用紙Ｐを搬送路１５に沿って上方へ送る。給紙カセット１４は、底上げ板１４２と、センサー１４３とを備える。センサー１４３は、給紙カセット内の規制板（図示せず）位置を検知し、かつ用紙のサイズを検知する。なお、用紙以外のシートとしては、たとえば、封筒、ＯＨＰ（Overhead projector）フィルムが挙げられる。
【００５３】
搬送路１５は、片面印刷および両面印刷のときに使用される。反転搬送路１７は、両面印刷のときに使用される。
【００５４】
画像形成ユニット１１は、スキャナーユニット１２が生成した画像データー、または、ＰＣ３から取得した印刷データーに基づいて、給紙カセット１４により供給される用紙Ｐに対し画像形成を行なう。
【００５５】
画像形成ユニット１１は、中間転写ベルト１０１と、テンションローラー１０２と、駆動ローラー１０３と、イエローの画像形成部１０４Ｙと、マゼンタの画像形成部１０４Ｍと、シアンの画像形成部１０４Ｃ，ブラックの画像形成部１０４Ｋと、画像濃度センサー１０５と、１次転写装置１１１と、２次転写装置１１５と、レジストローラー対１１６と、加熱ローラー１２１と加圧ローラー１２２とからなる定着装置１２０とを有している。テンションローラー１０２と駆動ローラー１０３とで、中間転写ベルト１０１を保持し、かつ図のＡ方向に中間転写ベルト１０１を回転駆動させる。レジストローラー対１１６は、給紙ローラー１１３によって搬送された用紙Ｐをさらに下流に搬送する。
【００５６】
メディアセンサー１６は、搬送路１５に設置される。メディアセンサー１６によって、紙種自動検出機能（用紙の種類を自動検出する機能）が実現される。メディアセンサー１６は、給紙ローラー１１３と、レジストローラー対１１６との間に設置されている。
【００５７】
メディアセンサー１６は、たとえば、用紙に光を照射する発光部と、用紙で反射した反射光を受光する受光部とを有する光学式のセンサーである。メディアセンサー１６としての光学式のセンサーは、受光した光の電圧値から、紙の坪量を判定する。メディアセンサー１６として、用紙の厚さを検出する変位センサー、用紙の含水量を検出する静電容量センサー、用紙の表面性を撮像するカメラ、超音波センサー等の用紙の特性を検出するものが該当する。典型的には、給紙カセット１４に用紙がセットされた後、最初の１枚目の用紙が給紙カセット１４から給紙されたときに、メディアセンサー１６によって用紙の種類が判別される。
【００５８】
メディアセンサー１６から坪量の情報がコントローラー３１に送られる。これにより、コントローラー３１は、後述するデーターＤ６に基づき、用紙の種類を判定する。
【００５９】
なお、後処理装置２０は、パンチ処理装置２２０と、平綴じ処理部２５０と、中綴じ処理部２６０と、排出トレイ２７１と、排出トレイ２７２と、下部の排出トレイ２７３とをさらに備える。
【００６０】
（ｂ２．ハードウェア構成）
図３は、画像形成装置１のハードウェア構成の一例を説明するためのブロック図である。
【００６１】
図３を参照して、本体部１０は、コントローラー３１と、固定記憶装置３２と、短距離無線ＩＦ（Inter Face）３３と、スキャナーユニット１２と、操作パネル３４と、給紙カセット１４と、メディアセンサー１６と、画像形成ユニット１１と、プリンタコントローラー３５と、ネットワークＩＦ３６と、ワイヤレスＩＦ３７とを有する。コントローラー３１には、各部１１，１２，１４，１６，３２〜３７がバス３０を介して接続されている。
【００６２】
コントローラー３１は、画像形成装置１の動作を制御する。コントローラー３１は、ＣＰＵ（Central Processing Unit）３１１と、制御プログラムの格納されたＲＯＭ（Read Only Memory）３１２と、作業用のＳ−ＲＡＭ（Static Random Access Memory）３１３と、画像形成に関わる各種の設定を記憶するバッテリバックアップされたＮＶ−ＲＡＭ（Non-Volatile RAM：不揮発性メモリ）３１４と、時計ＩＣ（Integrated Circuit）３１５とを有する。各部３１１〜３１５は、バス３０を介して接続されている。また、コントローラー３１は、典型的には、制御基盤として本体部１０に内蔵される。
【００６３】
操作パネル３４は、各種の入力を行うキー、および表示部を有する。操作パネル３４は、典型的には、タッチスクリーンと、ハードウェアキーとで構成される。なお、タッチスクリーンは、ディスプレイの上にタッチパネルが重畳されたデバイスである。
【００６４】
ネットワークＩＦ３６は、ネットワークを介して接続されたＰＣ３、サーバー（図示せず）および他の画像形成装置（図示せず）をはじめとする外部装置との間で各種の情報を送受信する。
【００６５】
プリンタコントローラー３５は、ネットワークＩＦ３６により受信したプリントデータから複写画像を生成する。画像形成ユニット１１は、複写画像を用紙上に形成する。
【００６６】
なお、固定記憶装置３２は、典型的には、ハードディスク装置である。固定記憶装置３２には、各種のデーターが記憶されている。なお、固定記憶装置３２は、フラッシュメモリであってもよい。
【００６７】
（ｂ３．操作パネル）
図４は、操作パネル３４の外観を表した図である。図４を参照して、操作パネル３４は、タッチスクリーン３４１と、複数の物理キーとを有する。タッチスクリーン３４１は、本例では、ディスプレイ上にタッチパネルが設置された構造を有している。
【００６８】
タッチスクリーン３４１には、画面が表示される。タッチスクリーン３４１には、操作画面が表示される。操作画面は、たとえば設定画面である。ある局面においては、１つの操作画面は、少なくなくとも１つの操作ボタンを有している。操作ボタンは、ソフトウェアキー、ソフトウェアボタン、選択可能なオブジェクト、アイコンとも称される。画像形成装置１のユーザーは、操作ボタンに対する操作によって、項目の設定、現在設定されている項目の変更等を行なうことができる。
【００６９】
図５は、タッチスクリーン３４１に表示される画面例を示した図である。
図５を参照して、コントローラー３１は、タッチスクリーン３４１に、トレイ（給紙カセット１４）の設定変更を行うための画面４００を表示する。なお、本例では、２つの給紙カセット１４のうち、上段の給紙カセット１４の設定変更を行う画面を示している。
【００７０】
画面４００は、用紙の種類に関する設定項目４９１と、用紙のサイズの設定項目４９２とを含む。設定項目４９１は、メディアセンサー１６によって用紙の種類を自動的に検出する機能（すなわち、紙種自動検出機能）のオン（有効）およびオフ（無効）を設定するためのオブジェクト画像４１０を含む。
【００７１】
また、設定項目４９１は、用紙の種類を選択するための複数のオブジェクト画像群４２０を含む。図５の例では、当該オブジェクト画像として、「普通紙」、「片面専用用紙」、「薄紙」、「特殊紙」、「厚紙＃１」、「厚紙＃１＋」、「厚紙＃２」、「厚紙＃３」、「再生紙」、「レターヘッド紙」が示されている。また、図５の例では、「厚紙＃１＋」のオブジェクト画像がユーザーによって選択されている。
【００７２】
このように、画像形成装置１（詳しくは、コントローラー３１）は、操作パネル３４を介して、用紙の種類を検出する紙種自動検出機能をオンする入力と、紙種自動検出機能をオフする入力とを受け付ける。画像形成装置１は、紙種自動検出機能がオンとなっている状態においても、操作パネル３４を介して、用紙の種類を設定する入力（複数のオブジェクト画像群４２０からオブジェクト画像を選択する入力）を受け付ける。
【００７３】
このような構成によれば、コントローラー３１は、メディアセンサー１６によって用紙の種類を検出する前に、禁則か否かの判定が可能となる。具体的には、メディアセンサー１６のみを機能させる場合、用紙の種類が特定されるまで、画像形成装置１は、用紙の種類がわからないので、ジョブの印刷設定と搬送する用紙が禁則に関わらず、ジョブを実行してしまう。実際に禁則であった場合、画像形成装置１はジョブを中断せざるを得ず、ジョブにかかった時間、用紙が無駄になってしまうという問題があるが、紙種自動検出機能がオンとなっている状態においても、操作パネル３４を介して、用紙の種類を設定する入力を受け付けることで、上記問題が解決される。禁則の具体例については、後述する（図１２）。
【００７４】
なお、紙種自動検出機能のオンおよびオフの設定は、給紙カセット１４毎（本例では、１段目（上段）の給紙カセット１４、２段目（下段）の給紙カセット１４）に設定可能である。このような場合であっても、複数の給紙カセット１４の設定変更を行う画面の各々において、紙種自動検出機能のオンおよびオフの選択状態に関係なく、用紙の種類を設定する入力（複数のオブジェクト画像群４２０からオブジェクト画像を選択する入力）を受け付ける。
【００７５】
（ｂ４．データー）
図６は、コントローラー３１が記憶しているデーターＤ６を示した図である。
【００７６】
図６を参照して、データーＤ６は、用紙の種類と坪量（ｇ/ｍ２）との関係を示している。データーＤ６は、坪量に範囲に基づき用紙の種類が規定されたデーターである。
【００７７】
たとえば、本例では、「薄紙」は、坪量が５２ｇ／ｍ２以上かつ５９ｇ／ｍ２以下の用紙として規定されている。また、「普通紙」は、坪量が６０ｇ／ｍ２以上かつ９０ｇ／ｍ２以下の用紙として規定されている。
【００７８】
同様に、「普通紙＋」、「厚紙＃１」、「厚紙＃１＋」、「厚紙＃２」、「厚紙＃３」、「厚紙＃４」は、それぞれ、坪量が９１ｇ／ｍ２以上かつ１０５ｇ／ｍ２以下の用紙、坪量が１０６ｇ／ｍ２以上かつ１２０ｇ／ｍ２以下の用紙、坪量が１２１ｇ／ｍ２以上かつ１５７ｇ／ｍ２以下の用紙、坪量が１５８ｇ／ｍ２以上かつ２０９ｇ／ｍ２以下の用紙、坪量が２１０ｇ／ｍ２以上かつ２５６ｇ／ｍ２以下の用紙、坪量が２５７ｇ／ｍ２以上かつ３００ｇ／ｍ２以下の用紙として規定されている。
【００７９】
（ｂ５．機能的構成）
図７は、画像形成装置１の機能的構成を説明するためのブロック図である。
【００８０】
図７を参照して、画像形成装置１は、制御部５００と、記憶部５５０と、メディアセンサー１６と、操作パネル３４と、通信インターフェイス部１９と、画像形成ユニット１１と、給紙カセット１４とを備える。
【００８１】
操作パネル３４は、操作部３４５と、表示部３４６とを有する。操作部３４５は、タッチパネルおよび物理キーに対応する。表示部３４６は、ディスプレイに対応する。
【００８２】
給紙カセット１４は、用紙エンプティに関する情報を制御部５００に送る。これにより、制御部５００は、給紙カセット１４の用紙がエンプティ状態（給紙カセットが用紙切れ状態）となったかどうかを知ることができる。
【００８３】
通信インターフェイス部１９は、ＰＣ３等と通信するためのインターフェイスである。通信インターフェイス部１９は、ネットワークＩＦ３６およびワイヤレスＩＦ３７（図３）に対応する。
【００８４】
記憶部５５０は、上述したデーターＤ６（図６参照）と、後述する、データーＤ１２（図１２参照）と、予め定められた条件を表した条件情報と、優先度情報とを記憶している。
【００８５】
制御部５００は、画像形成装置１の全体的な動作を制御する。制御部５００は、コントローラー３１に対応する。制御部５００は、典型的には、ＣＰＵ３１１（図３参照）がＯＳ（Ｏｐｅｒａｔｉｎｇ  Ｓｙｓｔｅｍ）およびプログラムを実行することにより実現される。
【００８６】
制御部５００は、比較判定部５１０と、ジョブ制御部５２０と、表示制御部５３０と、認証部５４０とを備える。ジョブ制御部５２０は、条件成立判定部５２１を有する。
【００８７】
表示制御部５３０は、表示部３４６に各種の画像を表示させる。たとえば、表示制御部５３０は、上述した画面４００、後述する警告表示等を、表示部３４６に表示させる。
【００８８】
認証部５４０および認証部５４０による認証結果を利用した処理については、後述する。
【００８９】
比較判定部５１０は、メディアセンサー１６による検出結果を取得する。また、比較判定部５１０は、操作部３４５によって設定された用紙の種別の情報（設定情報）を取得する。
【００９０】
比較判定部５１０は、検出結果と設定情報とが一致するか否かを判定する。すなわち、比較判定部５１０は、操作パネル３４を介して設定された用紙の種類と、メディアセンサー１６によって検出された用紙の種類とが一致するか否かを判定する。比較判定部５１０は、判定結果をジョブ制御部５２０に通知する。具体的には、比較判定部５１０は、一致していることを示す情報、および一致していないことを示す情報のうちの、いずれかをジョブ制御部５２０に通知する。
【００９１】
ジョブ制御部５２０の条件成立判定部５２１は、比較判定部５１０によってシートの種類が一致しないと判定された場合に、上述した予め定められた条件が満たされているか否か（成立するか否か）を判定する。
【００９２】
ジョブ制御部５２０は、予め定められた条件が満たされているときには、操作パネル３４によって設定された用紙の種類とメディアセンサー１６によって検出された用紙の種類とが一致しない場合の処理として、メディアセンサー１６によって検出された種類に応じた設定で印刷ジョブを継続する。一方で、ジョブ制御部５２０は、予め定められた条件が満たされなかったときには、操作パネル３４によって設定された用紙の種類とメディアセンサー１６によって検出された用紙の種類とが一致しない場合の処理として、印刷ジョブを中断する。
【００９３】
このように、予め定められた条件は、ジョブを継続するか、あるいはジョブを中断するのかを判定するために用いられる。予め定められた条件の具体例については、後述する各種の処理例とともに説明する。
【００９４】
＜Ｃ．処理例＞
以下の各処理例においては、紙種自動検出機能がオン状態となっているものとする。また、第１〜第８の処理例では、印刷ジョブがコピージョブである場合を説明する。第９の処理例では、印刷ジョブがプリントジョブである場合を説明する。
【００９５】
［ｃ１．第１の処理例］
図８は、第１の処理例を説明するためのフロー図である。
【００９６】
図８を参照して、ステップＳ１０１において、ユーザーが給紙カセット１４に用紙をセットする。ステップＳ１０２において、画像形成装置１は、操作パネル３４で用紙の種類のユーザー設定を受け付ける（図５参照）。
【００９７】
ステップＳ１０３において、画像形成装置１は、印刷ジョブ（具体的には、コピージョブ）の開始を指示するユーザー操作を受け付けると、印刷ジョブを開始する。ステップＳ１０４において、コントローラー３１（詳しくは、比較判定部５１０）は、操作パネル３４によって設定された用紙の種類と、メディアセンサー１６によって検出された用紙の種類とが一致したか否かを判定する。
【００９８】
一致したと判定された場合（ステップＳ１０４においてＹＥＳ）、処理をステップＳ１０８に進める。一致していないと判定された場合（ステップＳ１０４においてＮＯ）、コントローラー３１は、ステップＳ１０５において、予め定められた条件が満たされているか否かを判定する。具体的には、コントローラー３１は、ステップＳ１０５において、用紙がセットされてから印刷ジョブの開始が指示されるまでの時間が所定時間内（予め定められた時間内）か否かを判定する。すなわち、コントローラー３１は、ステップＳ１０１からステップＳ１０３までの処理が所定時間内で行われたか否かを判定する。
【００９９】
所定時間内と判定（すなわち、予め定められた条件が満たされたと判定）された場合（ステップＳ１０５においてＹＥＳ）、コントローラー３１は、ステップＳ１０６において、メディアセンサー１６によって検出された用紙の種類を印刷ジョブの用紙設定とする。すなわち、コントローラー３１は、用紙のプロファイルを変更する。その後、コントローラー３１は、ステップＳ１０７において、印刷プロファイルを用紙プロファイルに即した内容に変更する。コントローラー３１は、ステップＳ１０８において、印刷ジョブを継続する。
【０１００】
所定時間内でないと判定された場合（ステップＳ１０５においてＮＯ），処理をステップＳ１０９に進める。ステップＳ１０９において、コントローラー３１は、印刷ジョブを中断するとともに、操作パネル３４に警告表示を行う。
【０１０１】
この警告表示は、典型的には、ユーザーに、その後の処理を実行させるメッセージを含む。警告表示がなされた場合、ユーザーは、メディアセンサー１６によって検出された用紙の種類の設定で印刷ジョブを継続するか（すなわち、操作パネル３４で設定された用紙の種類の設定を変更するか）、給紙カセット１４にセットされている用紙を変更するか、別の給紙カセット１４を使用するかなどの対応を行うことになる。その後、画像形成装置１は、ユーザーの対応に応じた処理を実行する。
【０１０２】
その際、ステップＳ１１０に示すように、画像形成装置１は、用紙の種類を自動的に検出するために給紙カセット１４から給紙した用紙（搬送路の用紙）を、通常排出するトレイとは異なるトレイに白紙状態で排出する。
【０１０３】
以上のように、本例では、ステップＳ１０５において肯定的な判定がなされた場合に印刷ジョブが継続され、否定的な判定がなされた場合には印刷ジョブが中断され、かつ警告表示がなされる。
【０１０４】
（処理の意図）
用紙がセットされてからコピージョブの開始指示までの時間が短い場合は、用紙をセットしたユーザーとコピージョブの開始指示を行ったユーザーとが同一と考えられる。この場合には、画像形成装置１は、ユーザーが用意しセットした用紙を当該ユーザーが使いたいのだと判定して、ジョブを継続する。詳しくは、ユーザーが紙種自動検出機能を有効にしている時点で、ユーザーがセットした用紙に最適な印刷プロファイルにて印刷されることをユーザーが望んでいると考えられるため、ジョブを継続する。
【０１０５】
一方、用紙がセットされてからコピージョブ開始指示までの時間が長い場合は、用紙をセットしたユーザーとコピージョブ開始指示を行ったユーザーとが必ずしも同一ではないと考えられる。この場合、操作パネル３４に表示されている用紙の種類を信じた別のユーザーがコピージョブを開始した可能性もある。それゆえ、この場合には、ミスコピーの防止を優先するため、画像形成装置１は、操作パネル３４に警告を表示する。
【０１０６】
［ｃ２．第２の処理例］
図９は、第２の処理例を説明するためのフロー図である。第２の処理例は、給紙カセット１４の用紙がエンプティ状態（給紙カセット１４が用紙切れ状態）となった場合を示している。
【０１０７】
図９を参照して、給紙カセット１４の用紙がエンプティ状態となったことが検出された場合（ステップＳ２０１）、ステップＳ２０２において、ユーザーが給紙カセット１４に用紙をセットする。
【０１０８】
ステップＳ１０３において、画像形成装置１は、印刷ジョブ（具体的には、コピージョブ）の開始を指示するユーザー操作を受け付けると、印刷ジョブを開始する。ステップＳ１０４において、コントローラー３１（詳しくは、比較判定部５１０）は、操作パネル３４によって設定された用紙の種類と、メディアセンサー１６によって検出された用紙の種類とが一致したか否かを判定する。
【０１０９】
一致したと判定された場合（ステップＳ１０４においてＹＥＳ）、処理をステップＳ１０８に進める。一致していないと判定された場合（ステップＳ１０４においてＮＯ）、コントローラー３１は、ステップＳ２０５において、予め定められた条件が満たされているか否かを判定する。具体的には、コントローラー３１は、ステップＳ２０５において、印刷ジョブが部単位で複数の部数を印刷するジョブである場合、印刷ジョブの再開が部の先頭からであるか否かを判定する。
【０１１０】
たとえば、ユーザーが、１０ページ分のコピーを３部だけ取っている最中に用紙切れば発生した場合、コントローラー３１は、印刷ジョブの再開が、２部目の先頭（すなわち、１１枚目）または３部目の先頭（すなわち２１枚目）であるかを判定する。
【０１１１】
部の先頭からの再開と判定（すなわち、予め定められた条件が満たされたと判定）された場合（ステップＳ２０５においてＹＥＳ）、コントローラー３１は、処理をステップＳ１０６に進める。部の先頭からの再開と判定されなかった場合（ステップＳ２０５においてＮＯ）、コントローラー３１は、処理をステップＳ１０９に進める。以降の処理は、第１の処理例と同様であるため、ここでは繰り返し説明しない。
【０１１２】
以上のように、本例では、ステップＳ２０５において肯定的な判定がなされた場合に印刷ジョブが継続され、否定的な判定がなされた場合には印刷ジョブが中断され、かつ警告表示がなされる。
【０１１３】
（処理の意図）
用紙切れ（ペーパーエンプティ）の発生時には、用紙切れを示す警告画面が操作パネル３４で表示されている状態で、ユーザーは、給紙カセット１４に用紙を補給することになる。用紙の補給が完了すると自動で給紙が再開される。この場合、操作パネル３４での用紙の種類の再設定作業は発生しない。したがって、操作パネル３４で設定する用紙の種類は用紙切れ発生の前後で変化することはない。しかしながら、補給した用紙の種類に変化があった場合のみ、操作パネル３４で設定する用紙の種類とメディアセンサー１６にて検出した用紙の種類とに差異が発生することになる。
【０１１４】
それゆえ、用紙の種類の比較結果に差異があるということは、用紙切れの前後で異なる用紙の種類を使うことになる。したがって、出力物が異なる用紙の種類が混在したミスコピーとなる可能性がある。このため、画像形成装置１は、操作パネル３４に警告表示を行うことにより、ユーザーに判断を委ねる方がよいと考えられる。
【０１１５】
しかしながら、用紙が補給された後の印刷ジョブの再開が部の先頭の場合（すなわち、ステップＳ２０５でＹＥＳの場合）は、出力物として異なる用紙種類が混載したものとはならない。それゆえ、補給された用紙の種類（メディアセンサー１６によって検出された用紙の種類）の設定にてジョブを継続すればよい。
【０１１６】
なお、複数部間での用紙種類混載も防ぎたい場合は、一律、警告表示とするように、コントローラー３１を構成してもよい。
【０１１７】
（変形例）
給紙カセット１４が用紙切れ状態となった後に給紙カセット１４に用紙がセットされ、かつ印刷ジョブが再開された場合、印刷ジョブの再開が部の先頭であろうが、あるいは部の途中かであろうが、操作パネル３４に警告表示を行うように、画像形成装置１を構成してもよい。すなわち、給紙カセット１４が用紙切れ状態となった後に給紙カセット１４に用紙がセットされ、かつ印刷ジョブが再開されたときには、予め定められた条件は満たされないと判定するように、コントローラー３１を構成してもよい。
【０１１８】
［ｃ３．第３の処理例］
図１０は、第３の処理例を説明するためのフロー図である。
【０１１９】
図１０を参照して、第３の処理例は、ステップＳ１０５の代わりにステップＳ３０５を有する点において、第１の処理例とは異なる。したがって、以下では、ステップＳ３０５に着目し、他のステップについての説明は繰り返さない。
【０１２０】
操作パネル３４によって設定された用紙の種類と、メディアセンサー１６によって検出された用紙の種類とが一致してないと判定された場合（ステップＳ１０４においてＮＯ）コントローラー３１は、ステップＳ３０５において、予め定められた条件が満たされているか否かを判定する。具体的には、コントローラー３１は、ステップＳ３０５において、操作パネル３４によって用紙の種類を設定したユーザーと、印刷ジョブの開始を指示したユーザーとが、同一であるか否かを判定する。
【０１２１】
ユーザーが同一か否かの判定は、認証部５４０（図７参照）によって行われる。認証部５４０による判定（すなわち、認証）は、典型的には、以下のように行われる。まず、コントローラー３１は、用紙を給紙カセット１４セットした後に操作パネル３４で用紙の種類を設定する際のログイン情報を、ユーザー認証機能にて保持しておく。その後、コントローラー３１は、操作パネル３４で用紙の種類を設定する際のログイン情報と、印刷ジョブを行う際のログイン情報とを比較することにより、同一ユーザーか否かを判定する。
【０１２２】
同一であると判定（すなわち、予め定められた条件が満たされたと判定）された場合（ステップＳ３０５においてＹＥＳ）、コントローラー３１は、処理をステップＳ１０６に進める。同一でないと判定された場合（ステップＳ３０５においてＮＯ）、コントローラー３１は、処理をステップＳ１０９に進める。なお、以降の処理は、第１の処理例と同様であるため、ここでは繰り返し説明しない。
【０１２３】
以上のように、本例では、ステップＳ３０５において肯定的な判定がなされた場合に印刷ジョブが継続され、否定的な判定がなされた場合には印刷ジョブが中断され、かつ警告表示がなされる。
【０１２４】
（処理の意図）
用紙を給紙カセット１４にセットしたユーザーと印刷ジョブの開始指示を行ったユーザーとが同一の場合には、コントローラー３１は、ユーザーが用意しセットした用紙を使いたいのだと判定して、ジョブを継続する。
【０１２５】
一方、用紙を給紙カセット１４にセットしたユーザーと印刷ジョブの開始指示を行ったユーザーとが異なる場合は、ユーザーが、操作パネル３４に表示されている用紙の種類を信じて、印刷ジョブを開始した可能性もある。このため、画像形成装置１は、ミスコピー防止を優先し、操作パネル３４に警告を表示する。
【０１２６】
［ｃ４．第４の処理例］
図１１は、第４の処理例を説明するためのフロー図である。
【０１２７】
図１１を参照して、第４の処理例は、ステップＳ１０５の代わりにステップＳ４０５を有する点において、第１の処理例とは異なる。したがって、以下では、ステップＳ４０５に着目し、他のステップについての説明は繰り返さない。
【０１２８】
操作パネル３４によって設定された用紙の種類と、メディアセンサー１６によって検出された用紙の種類とが一致してないと判定された場合（ステップＳ１０４においてＮＯ）、コントローラー３１は、ステップＳ４０５において、予め定められた条件が満たされているか否かを判定する。具体的には、コントローラー３１は、ステップＳ４０５において、メディアセンサー１６によって検出された用紙の種類と、印刷ジョブにおける設定との組み合わせが禁止されていないか否かを判定する。具体的には、コントローラー３１は、後述するデーターＤ１２（図１２参照）に基づき、組み合わせが禁止されているか否かを判定する。
【０１２９】
禁止されていないと判定（すなわち、予め定められた条件が満たされたと判定）された場合（ステップＳ４０５においてＹＥＳ）、コントローラー３１は、処理をステップＳ１０６に進める。禁止されていると判定された場合（ステップＳ４０５においてＮＯ）、コントローラー３１は、処理をステップＳ１０９に進める。なお、以降の処理は、第１の処理例と同様であるため、ここでは繰り返し説明しない。
【０１３０】
図１２は、データーＤ１２を説明するための図である。
図１２を参照して、データーＤ１２は、用紙の種別に対して、所定の処理を実行しても良いか否かを示す情報が対応付けられている。所定の処理としては、たとえば、「シフト処理」、「パンチ処理」、「ステープル処理」、「中折／中綴じ処理」、「両面印刷」、「カラー印刷」が挙げられる。
【０１３１】
以上のように、本例では、ステップＳ４０５において肯定的な判定がなされた場合に印刷ジョブが継続され、否定的な判定がなされた場合には印刷ジョブが中断され、かつ警告表示がなされる。
【０１３２】
（処理の意図）
たとえばデーターＤ１２の組み合わせの場合、操作パネル３４で設定されていた用紙の種類が厚紙＃１のとき、印刷ジョブの開始時の印刷設定としてステープルを設定しても組み合わせ禁止とはならない。それゆえ、画像形成装置１は、印刷ジョブを開始できる。その後、メディアセンサー１６によって検出された用紙の種類が厚紙＃２となった場合であっても、ステープルは許可される。このため、ユーザーの所望する印刷設定を満たす出力物を得ることができる。したがって、コントローラー３１は、ジョブを継続する。
【０１３３】
一方、メディアセンサー１６によって検出された用紙の種類が厚紙＃３となった場合には、ステープルは許可されていない。すなわち、画像形成装置１は、後処理装置２０においてステープル処理を実行できない。この場合、コントローラー３１は、勝手にステープルモードを解除してよいか否かの判断ができない。そこで、画像形成装置１は、ユーザーの判断を仰ぐために、操作パネル３４に警告を表示する。
【０１３４】
［ｃ５．第５の処理例］
図１３は、第５の処理例を説明するためのフロー図である。
【０１３５】
図１３を参照して、第５の処理例は、ステップＳ１０５の代わりにステップＳ５０５を有する点において、第１の処理例とは異なる。したがって、以下では、ステップＳ５０５に着目し、他のステップについての説明は繰り返さない。
【０１３６】
操作パネル３４によって設定された用紙の種類と、メディアセンサー１６によって検出された用紙の種類とが一致してないと判定された場合（ステップＳ１０４においてＮＯ）、コントローラー３１は、ステップＳ５０５において、予め定められた条件が満たされているか否かを判定する。具体的には、コントローラー３１は、ステップＳ５０５において、メディアセンサー１６によって検出された用紙が普通紙であるか否かを判定する。
【０１３７】
普通紙であると判定（すなわち、予め定められた条件が満たされたと判定）された場合（ステップＳ５０５においてＹＥＳ）、コントローラー３１は、処理をステップＳ１０６に進める。普通紙でないと判定された場合（ステップＳ５０５においてＮＯ）、コントローラー３１は、処理をステップＳ１０９に進める。なお、以降の処理は、第１の処理例と同様であるため、ここでは繰り返し説明しない。
【０１３８】
以上のように、本例では、ステップＳ５０５において肯定的な判定がなされた場合に印刷ジョブが継続され、否定的な判定がなされた場合には印刷ジョブが中断され、かつ警告表示がなされる。
【０１３９】
（処理の意図）
普通紙はオフィスで一般的に使用される用紙である。それゆえ、ミスコピーとなる可能性が低いと考えられる。普通紙は、仮にミスコピーとなった場合でも、比較的低価格で容易に確保できる。したがって、被害も少なくて済むと考えられる。そこで、普通紙である場合には、コントローラー３１は、ジョブを継続する。
【０１４０】
一方、普通紙以外の用紙は、普通紙に比べると特殊な用紙であり、比較的高価格でもある。それゆえ、ミスコピーとなった場合の被害も大きくなる傾向にある。そのため、普通紙でない場合には、用紙の使用意図をユーザーに確認させるために、画像形成装置１は、操作パネル３４に警告を表示する。
【０１４１】
［ｃ６．第６の処理例］
図１４は、第６の処理例を説明するためのフロー図である。
【０１４２】
図１４を参照して、第６の処理例は、ステップＳ１０５の代わりにステップＳ６０５を有する点において、第１の処理例とは異なる。したがって、以下では、ステップＳ６０５に着目し、他のステップについての説明は繰り返さない。
【０１４３】
操作パネル３４によって設定された用紙の種類と、メディアセンサー１６によって検出された用紙の種類とが一致してないと判定された場合（ステップＳ１０４においてＮＯ）、コントローラー３１は、ステップＳ６０５において、予め定められた条件が満たされているか否かを判定する。具体的には、コントローラー３１は、ステップＳ６０５において、データーＤ６（図６参照）に基づき、操作パネル３４によって設定された用紙の種類の坪量の範囲と、メディアセンサー１６によって検出された用紙の種類の坪量の範囲とが連続しているか否かを判定する。
【０１４４】
坪量の範囲が連続しているとは、たとえば、「５２〜５９ｇ／ｍ２」と「６０〜９０ｇ／ｍ２」といったように範囲が連続していることをいう。また、坪量の範囲が連続しているとは、操作パネル３４によって設定された用紙の種類の坪量の範囲と、メディアセンサー１６によって検出された用紙の種類の坪量の範囲との間に、他の用紙の種類の坪量の範囲を含まないことであるともいえる。
【０１４５】
たとえば、操作パネル３４によって設定された用紙の種類の坪量の範囲が「６０〜９０ｇ／ｍ２」であり、メディアセンサー１６によって検出された用紙の種類の坪量の範囲が「１０６〜１２０ｇ／ｍ２」である場合には、「９１〜１０５ｇ／ｍ２」の範囲（普通紙＋の範囲）が存在するため、坪量の範囲は連続していない。
【０１４６】
坪量の範囲が連続していると判定（すなわち、予め定められた条件が満たされたと判定）された場合（ステップＳ６０５においてＹＥＳ）、コントローラー３１は、処理をステップＳ１０６に進める。坪量の範囲が連続していないと判定された場合（ステップＳ６０５においてＮＯ）、コントローラー３１は、処理をステップＳ１０９に進める。なお、以降の処理は、第１の処理例と同様であるため、ここでは繰り返し説明しない。
【０１４７】
以上のように、本例では、ステップＳ６０５において肯定的な判定がなされた場合に印刷ジョブが継続され、否定的な判定がなされた場合には印刷ジョブが中断され、かつ警告表示がなされる。
【０１４８】
（処理の意図）
画像形成装置１では、図６のデーターＤ６に示すように、様々な用紙に対して最適な印刷プロファイルにて印刷できるように、坪量に応じて細かく用紙の種類を区別している。
【０１４９】
しかしながら、一般ユーザーにとっては、厚い紙であるのは認識できても、それが厚紙＃２（１５８〜２０９ｇ／ｍ２）に該当するのか厚紙＃３（２１０〜２５６ｇ／ｍ２）に該当するのかを判定するのは困難である。さらに、異なる画像形成装置１を使用している環境では、ある画像形成装置１では厚紙＃２に区分される用紙が、別の画像形成装置では厚紙＃３に区分されることもあり得る。
【０１５０】
一方、普通紙（６０〜９０ｇ／ｍ２）と厚紙＃４（２５７〜３００ｇ／ｍ２）との差異は、見た目でも判定可能である。また、普通紙などの用紙と、封筒／ＯＨＰなどの特殊用紙との場合も、上記のステップＳ６０５の判定処理により、坪量の範囲が連続していないと判定される。
【０１５１】
そこで、画像形成装置１は、坪量の範囲が連続している場合には、ユーザーが判別できなかっただけであり、使用したい用紙には変わりないと判定して、ジョブを継続する。一方、画像形成装置１は、坪量の範囲が連続していない場合（明らかに異なる用紙の種類となる場合）には、ユーザーに確認するために警告表示を行う。
【０１５２】
［ｃ７．第７の処理例］
画像形成装置１は、メディアセンサー１６の検出結果（すなわち、紙種自動検出機能の結果）を優先するのか、あるいは、操作パネル３４を介した用紙の種別の設定（ユーザー設定）を優先するのかを選択するための操作を受け付ける。当該操作は、典型的には、画像形成装置１の管理者設定（管理者モード）の操作画面にて受け付けることができる。
【０１５３】
図１５は、管理者設定の操作画面例を示した図である。
図１５を参照して、操作パネル３４を介して管理者がパスワード等を入力し、かつ所定の操作を行うと、操作パネル３４には画面４０１が表示される。画面４０１は、紙種自動検出機能の結果を優先する設定を行うためのオブジェクト画像４３１と、ユーザー設定を優先する設定を行うためのオブジェクト画像４３２とを有する。
【０１５４】
管理者が、オブジェクト画像４３１とオブジェクト画像４３２とのいずれかを選択することより、選択されたオブジェクト画像に対応付けられた設定がなされる。設定内容は、優先度情報として、記憶部５５０（図７参照）として格納される。
【０１５５】
図１６は、第７の処理例を説明するためのフロー図である。
図１６を参照して、第７の処理例は、ステップＳ１０５の代わりにステップＳ７０５を有する点において、第１の処理例とは異なる。したがって、以下では、ステップＳ７０５に着目し、他のステップについての説明は繰り返さない。
【０１５６】
操作パネル３４によって設定された用紙の種類と、メディアセンサー１６によって検出された用紙の種類とが一致してないと判定された場合（ステップＳ１０４においてＮＯ）、コントローラー３１は、ステップＳ７０５において、予め定められた条件が満たされているか否かを判定する。具体的には、コントローラー３１は、ステップＳ７０５において、優先度情報を参照して、メディアセンサー１６による用紙の種類の検出結果を操作パネル３４による用紙の種類の設定よりも優先する設定がなされているか否かを判定する。
【０１５７】
メディアセンサー１６による用紙の種類の検出結果が優先されていると判定（すなわち、予め定められた条件が満たされたと判定）された場合（ステップＳ７０５においてＹＥＳ）、コントローラー３１は、処理をステップＳ１０６に進める。操作パネル３４による用紙の種類の設定が優先されていると判定された場合（ステップＳ７０５においてＮＯ）、コントローラー３１は、処理をステップＳ１０９に進める。なお、以降の処理は、第１の処理例と同様であるため、ここでは繰り返し説明しない。
【０１５８】
以上のように、本例では、ステップＳ７０５において肯定的な判定がなされた場合に印刷ジョブが継続され、否定的な判定がなされた場合には印刷ジョブが中断され、かつ警告表示がなされる。
【０１５９】
（処理の意図）
紙種自動検出機能の検出結果を信じ切っているようなユーザーにおいては、用紙を給紙カセット１４にセットした際、操作パネル３４で用紙の種類を設定するのは手間だと考える場合がある。このような場合には、メディアセンサー１６の検出結果を使用する旨を予め設定しておく。当該設定によれば、ユーザーは、用紙を給紙カセット１４にセットした際に、用紙の種類を意識して設定する必要はない。それゆえ、画像形成装置１は、メディアセンサー１６による検出結果を適用して、ジョブを継続する。
【０１６０】
一方で、メディアセンサー１６検出結果を確認したうえで、その後の対応を考えたいユーザーもいる。このようなユーザーがいる場合には、管理者は、ユーザー設定を選択すればよい。この場合には、画像形成装置１は、用紙の種別が一致しない場合には、警告表示を行う。
【０１６１】
［ｃ８．第８の処理例］
画像形成装置１は、課金を行うモード（以下、「課金モード」と称する）と、課金を行わないモードとのいずれかの設定ができる。画像形成装置１が店舗等で使用される場合には、管理者が課金モードに設定することにより、ユーザーによる画像形成装置１の使用に対して、枚数等に応じた課金がなされる。
【０１６２】
図１７は、第８の処理例を説明するためのフロー図である。
図１７を参照して、第８の処理例は、ステップＳ１０５の代わりにステップＳ８０５を有する点において、第１の処理例とは異なる。したがって、以下では、ステップＳ８０５に着目し、他のステップについての説明は繰り返さない。
【０１６３】
操作パネル３４によって設定された用紙の種類と、メディアセンサー１６によって検出された用紙の種類とが一致してないと判定された場合（ステップＳ１０４においてＮＯ）、コントローラー３１は、ステップＳ８０５において、予め定められた条件が満たされているか否かを判定する。具体的には、コントローラー３１は、ステップＳ８０５において、課金モードではないか否かを判定する。
【０１６４】
課金モードではないと判定（すなわち、予め定められた条件が満たされたと判定）された場合（ステップＳ８０５においてＹＥＳ）、コントローラー３１は、処理をステップＳ１０６に進める。課金モードであると判定された場合（ステップＳ８０５においてＮＯ）、コントローラー３１は、処理をステップＳ１０９に進める。なお、以降の処理は、第１の処理例と同様であるため、ここでは繰り返し説明しない。
【０１６５】
以上のように、本例では、ステップＳ８０５において肯定的な判定がなされた場合に印刷ジョブが継続され、否定的な判定がなされた場合には印刷ジョブが中断され、かつ警告表示がなされる。
【０１６６】
（処理の意図）
画像形成装置１が、店舗等（コンビニエンスストア、図書館等）に設置され、かつベンダー装置に接続されテイル場合には、画像形成装置１は、課金モードとして動作している。このような画像形成装置１では、ミスコピーが発生すると、ユーザーに金銭的な被害をもたらす。そのため、課金モードで画像形成装置１が動作している場合には、画像形成装置１は、少しでもミスコピーの可能性があるときには、警告表示を行いユーザーの判定を仰ぐ。
【０１６７】
なお、画像形成装置１が課金モードで動作していな場合には、メディアセンサー１６の検出結果に基づいて印刷ジョブを継続すればよい。
【０１６８】
［ｃ９．第９の処理例］
ネットワークシステム１０００（図１参照）では、ＰＣ３を用いて、画像形成装置１から印刷ジョブ（詳しくは、プリントジョブ）を実行させることができる。また、ＰＣ３では、画像形成装置１用のプリンタドライバーの設定を行うことができる。
【０１６９】
図１８は、ＰＣ３で表示されるプリンタドライバーの設定画面を示した図である。
図１８を参照して、設定画面４０２は、給紙カセットを選択する項目４４１と、用紙の種類を選択する項目４４２とを備える。図１８の例は、ユーザーが、給紙カセット１４の用紙の種類を、「用紙＃１＋」に設定した状態を示している。
【０１７０】
以下では、プリンタドライバーによって設定された用紙の種類と、メディアセンサー１６によって検出された用紙の種類とが一致するか否かについても判定する構成について説明する。
【０１７１】
図１９は、第９の処理例を説明するためのフロー図である。
図１９を参照して、ステップＳ９０１において、コントローラー３１は、プリンタドライバーによって設定された用紙の種類と、操作パネル３４によって設定された用紙の種類とが一致するか否かを判定する。
【０１７２】
一致すると判定された場合（ステップＳ９０１においてＹＥＳ）、ステップＳ９０２において、コントローラー３１は、プリンタドライバーによって設定された用紙の種類と、メディアセンサー１６によって検出された用紙の種類とが一致するか否かを判定する。一致しないと判定された場合（ステップＳ９０１においてＮＯ）、コントローラー３１は、処理をステップＳ９０３に進める。
【０１７３】
一致すると判定された場合（ステップＳ９０２においてＹＥＳ）、ステップＳ１０８において、コントローラー３１は、印刷ジョブを継続する。一致しないと判定された場合（ステップＳ９０２においてＮＯ）、コントローラー３１は、処理をステップＳ１０６に進める。この後、コントローラー３１は、処理をステップＳ１０７に進める。さらに、その後、コントローラー３１は、処理をステップＳ１０８に進める。
【０１７４】
ステップＳ９０３において、ステップＳ９０２と同様に、コントローラー３１は、プリンタドライバーによって設定された用紙の種類と、メディアセンサー１６によって検出された用紙の種類とが一致するか否かを判定する。
【０１７５】
一致すると判定された場合（ステップＳ９０３においてＹＥＳ）、コントローラー３１は、処理をステップＳ１０６に進める。一致しないと判定された場合（ステップＳ９０３においてＮＯ）、ステップＳ９０４において、コントローラー３１は、用紙の種類を設定したユーザーと印刷ジョブの開始を指示したユーザーとが同一か否かを判定する。
【０１７６】
一致すると判定された場合（ステップＳ９０４においてＹＥＳ）、コントローラー３１は、処理をステップＳ１０６に進める。一致しないと判定された場合（ステップＳ９０４においてＮＯ）、コントローラー３１は、処理をステップＳ１０９に進める。この後、コントローラー３１は、処理をステップＳ１１０に進める。
【０１７７】
なお、ユーザー認証を行わない場合には、ステップＳ９０３で一致しないと判定されたときには（ステップＳ９０３でＮＯ）、コントローラー３１は、ステップＳ９０４の処理を行うことなく、処理をステップＳ１０９に進める。
【０１７８】
以上のように、本例では、ステップＳ９０２において否定的な判定がなされた場合、あるいはステップＳ９０３において肯定的な判定がなされた場合にも、印刷ジョブが継続される。すなわち、コントローラー３１は、３つの種類（用紙の種類）のうちの２つの種類のみが一致しており、残りの１つの種類が当該２つの種類に一致していない場合に、予め定められた条件が満たされているとして印刷ジョブを継続する。
【０１７９】
また、プリンタドライバーによって設定された用紙の種類と、操作パネル３４によって設定された用紙の種類と、メディアセンサー１６によって検出された用紙の種類とが互いに異なる場合（図１９には図示せず）には、予め定められた条件が満たされないと判断し、印刷ジョブを中断することが好ましい。
【０１８０】
さらに、プリンタドライバーによって用紙の種類を設定したユーザーと操作パネル３４によって用紙の種類を設定したユーザーとが同一と判定され、かつ、プリンタドライバーによって設定された用紙の種類とメディアセンサー１６によって検出された用紙の種類とが異なっている場合には、予め定められた条件が満たされていると判断し、印刷ジョブを継続することが好ましい。このように、ステップＳ９０１に示すような、プリンタドライバーによって設定された用紙の種類と操作パネル３４によって検出された用紙の種類と比較は、必ずしも必須ではない。
【０１８１】
なお、本例では、ステップＳ９０３において否定的な判定がなされる場合には、用紙の種類の異同に関し、以下の２つのケースを含んでいる。１つ目は、プリンタドライバーによって設定された用紙の種類と、操作パネル３４によって設定された用紙の種類と、メディアセンサー１６によって検出された用紙の種類とが互いに異なる場合である。２つ目は、操作パネル３４によって設定された用紙の種類と、メディアセンサー１６によって検出された用紙の種類とが同一であり、かつ、プリンタドライバーによって設定された用紙の種類が操作パネル３４によって設定された用紙の種類（あるいはメディアセンサー１６によって検出された用紙の種類）とは異なる場合である。なお、１つ目も場合も２つ目の場合も、ステップＳ９０４において否定的な判定がなされた場合には、ステップＳ１０９において印刷ジョブが中断され、かつ警告表示がなされる。
【０１８２】
（処理の意図）
（１）プリンタドライバー上で設定（指定）された用紙の種類と操作パネル３４で設定された用紙の種類とが同一（すなわち、ステップＳ９０１でＹＥＳ）ということは、用紙を給紙カセット１４にセットしたユーザーと印刷ジョブを実行したユーザーとが同一の可能性が高い。
【０１８３】
この状態で、メディアセンサー１６によって検出された用紙の種類だけが、上記のように同一と判定された用紙の種類とは異なった場合（すなわち、ステップＳ９０２でＮＯの場合）には、ユーザーの思い込みにより、実際にセットされた用紙の種類とユーザーが設定した用紙の種類とが異なっていると考えられる。そのため、このような場合には、画像形成装置１は、ユーザーがセットした用紙を使いたいのだと判定して、ジョブを継続する。
【０１８４】
（２）プリンタドライバー上で設定された用紙の種類と操作パネル３４で設定された用紙種類とが異なる（すなわち、ステップＳ９０１でＮＯ）ということは、用紙をセットしたユーザーと印刷ジョブを実行したユーザーとが異なる可能性が高い。
【０１８５】
この場合には、印刷ジョブを実行したユーザーの意思を優先すべきと考える。プリンタドライバー上で設定された用紙の種類とメディアセンサー１６によって検出された用紙の種類とが一致したとき（ステップＳ９０３でＹＥＳのとき）には、印刷ジョブを実行したユーザーの意図した用紙がセットされていることになるため、画像形成装置１は、ジョブを継続する。
【０１８６】
（３）プリンタドライバー上で設定した用紙の種類とメディアセンサー１６によって検出された用紙の種類とが異なった場合（ステップＳ９０３でＮＯの場合）であって、かつ、操作パネル３４で設定された用紙の種類とメディアセンサー１６によって検出された用紙の種類とが一致する場合が存在する。このような状況は、用紙を給紙カセット１４にセットしたユーザーは正しく用紙の種類を設定したが、別のユーザーが別の用紙の種類を設定して印刷ジョブを実行したと考えられる。
【０１８７】
この場合には、印刷ジョブを開始（投入）したユーザーの所望の出力物が得られない可能性が高いと考えられる。そこで、画像形成装置１は、警告表示を行い、印刷ジョブを投入したユーザーに判定を委ねる。
【０１８８】
（４）プリンタドライバー上で設定した用紙の種類とメディアセンサー１６によって検出された用紙の種類とが異なった場合（ステップＳ９０３でＮＯの場合）であって、かつ、操作パネル３４で設定された用紙の種類とメディアセンサー１６によって検出された用紙の種類とが異なる場合も存在する。この場合も、印刷ジョブを投入したユーザーの所望の出力物が得られない可能性が高いと考えられる。そこで、画像形成装置１は、警告表示を行い、印刷ジョブを開始したユーザーに判定を委ねる。
【０１８９】
（５）ユーザー認証を行っている場合には、印刷ジョブの開始を指示したユーザーと、操作パネル３４で用紙の種類を設定したユーザーとが同一か否かを判定することができる（ステップＳ９０４）。この場合、プリンタドライバー上で設定され用紙の種類と操作パネル３４で設定された用紙の種類とが異なった場合でも、ユーザー認証情報の結果、同一ユーザーということであれば、ユーザーが用意しセットした用紙を使いたいというのを最優先に考える。それゆえ、画像形成装置１は、ジョブを継続する。
【０１９０】
本例では、制御部５００による一連の処理は、典型的には、画像形成装置１に予め記憶されたプログラム（インストールされたプログラム）をＣＰＵ３１１が実行することにより実現される。
【０１９１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１９２】
１  画像形成装置、３  サーバー、１０  本体部、１１  画像形成ユニット、１２  スキャナーユニット、１３  自動原稿搬送ユニット、１４  給紙カセット、１５  搬送路、１６  メディアセンサー、１７  反転搬送路、１９  通信インターフェイス部、２０  後処理装置、３０  バス、３１  コントローラー、３２  固定記憶装置、３４  操作パネル、３５  プリンタコントローラー、３６  ネットワークＩＦ、３７  ワイヤレスＩＦ、１０１  中間転写ベルト、１０２  テンションローラー、１０３  駆動ローラー、１０４Ｃ，１０４Ｋ，１０４Ｍ，１０４Ｙ  画像形成部、１０５  画像濃度センサー、１１１  １次転写装置、１１５  ２次転写装置、１１３  給紙ローラー、１１６  レジストローラー対、１２０  定着装置、１２１  加熱ローラー、１２２  加圧ローラー、１４２  底上げ板、１４３  センサー、２２０  パンチ処理装置、２５０  平綴じ処理部、２６０  中綴じ処理部、２７１，２７２，２７３  排出トレイ、３４１  タッチスクリーン、３４５  操作部、３４６  表示部、４００，４０１  画面、４０２  設定画面、４１０，４３１，４３２  オブジェクト画像、４２０  オブジェクト画像群、４４１，４４２  項目、４９１，４９２  設定項目、５００  制御部、５１０  比較判定部、５２０  ジョブ制御部、５２１  条件成立判定部、５３０  表示制御部、５４０  認証部、５５０  記憶部、９０１  ネットワーク、１０００  ネットワークシステム、Ｄ６，Ｄ１２  データ、Ｐ  用紙。
【図１】
2020192716.tif 000003
【図２】
2020192716.tif 000004
【図３】
2020192716.tif 000005
【図４】
2020192716.tif 000006
【図５】
2020192716.tif 000007
【図６】
2020192716.tif 000008
【図７】
2020192716.tif 000009
【図８】
2020192716.tif 000010
【図９】
2020192716.tif 000011
【図１０】
2020192716.tif 000012
【図１１】
2020192716.tif 000013
【図１２】
2020192716.tif 000014
【図１３】
2020192716.tif 000015
【図１４】
2020192716.tif 000016
【図１５】
2020192716.tif 000017
【図１６】
2020192716.tif 000018
【図１７】
2020192716.tif 000019
【図１８】
2020192716.tif 000020
【図１９】
2020192716.tif 000021